(57)【要約】【課題】使用者が意図しない通信方式により外部装置との情報の送受信が行われてしまうことのない電子装置を提供することを目的とする。【解決手段】外部装置との情報の授受を有線通信及び無線通信により行う有線通信部及び無線通信部を具備した電子装置において、上記有線通信部を上記外部装置と電気的に接続するための端子部と、上記無線通信に使用する信号を放射又は検出する素子部と、上記端子部及び上記素子部を被覆するように上記端子部及び上記素子部の上記電子装置の外部方向側に移動可能に配設され、かつ所定の複数の位置に位置決めされることによって、上記端子部及び上記素子部の一方のみを上記外部方向に露出させる遮蔽部と、を具備する構成とした。【選択図】図３
2009060534.tif 000002
【特許請求の範囲】
【請求項１】
外部装置との情報の授受を有線通信及び無線通信により行う有線通信部及び無線通信部を具備した電子装置であって、
上記有線通信部を上記外部装置と電気的に接続するための端子部と、
上記無線通信に使用する信号を放射又は検出する素子部と、
上記端子部及び上記素子部を被覆するように上記端子部及び上記素子部の上記電子装置の外部方向側において移動可能に配設され、かつ所定の複数の位置に位置決めされることによって、上記端子部及び上記素子部の一方のみを上記外部方向に露出させる遮蔽部と、を具備することを特徴とする電子装置。
【請求項２】
上記遮蔽部は、所定の位置に位置決めされることによって、上記端子部及び上記素子部の双方を被覆することが可能に構成されていることを特徴とする請求項１に記載の電子装置。
【請求項３】
上記遮蔽部は、上記素子部から放射される信号を遮断することが可能に構成されていることを特徴とする請求項１又は２に記載の電子装置。
【請求項４】
上記遮蔽部材の位置を検出する位置検出部を具備し、
該位置検出部の検出結果に応じて、上記端子部が上記遮蔽部材により被覆されている場合には上記有線通信機能部の駆動を停止し、上記素子部が上記遮蔽部材により被覆されている場合には上記無線通信機能部の駆動を停止することを特徴とする請求項１から３のいずれか一項に記載の電子装置。
【請求項５】
上記素子部は、電波を放射、検出するアンテナであることを特徴とする請求項１から４のいずれか一項に記載の電子装置。
【発明の詳細な説明】
【技術分野】
【０００１】
本発明は、有線通信及び無線通信により外部装置と通信可能な電子装置に関する。
【背景技術】
【０００２】
近年、他の装置との情報の授受を電波や赤外線等を介した無線通信により行うデジタルカメラやパーソナルコンピュータ等の電子装置が普及している。例えば、電波により無線通信を行う電子装置には、電波を送信及び受信するためのアンテナが配設される。アンテナは、通信状態を良好なものとするために電子装置の筐体の外部に露出して設けられる。
【０００３】
このような、無線通信が可能な電子装置の外部に露出したアンテナを外力から保護するために、アンテナを非使用時に隠蔽するカバーを設けたカメラが、特開２００６−１２１４１９号公報に開示されている。
【０００４】
また、無線通信の機能と共に、他の装置との情報の授受を接続ケーブルを介して行う有線通信の機能を具備した電子装置も知られている。また、通信用の接続ケーブルを介して外部装置から電力を得る電子装置や、電力線を介して外部装置と通信を行う電子装置も公知である。
【特許文献１】特開２００６−１２１４１９号公報
【発明の開示】
【発明が解決しようとする課題】
【０００５】
従来のように、外部装置との通信を有線又は無線により行う電子装置では、当該電子装置に接続ケーブルが接続されている場合に、電子装置と外部装置との情報の通信は有線により行われているのか、それとも無線により行われているのか、を使用者が判別できないという問題がある。
【０００６】
本発明は、上記問題点に鑑みてなされたものであり、使用者が意図しない通信方式により外部装置との情報の送受信が行われてしまうことのない電子装置を提供することを目的とする。
【課題を解決するための手段】
【０００７】
本発明に係る電子装置は、外部装置との情報の授受を有線通信及び無線通信により行う有線通信部及び無線通信部を具備した電子装置であって、上記有線通信部を上記外部装置と電気的に接続するための端子部と、上記無線通信に使用する信号を放射又は検出する素子部と、上記端子部及び上記素子部を被覆するように上記端子部及び上記素子部の上記電子装置の外部方向側において移動可能に配設され、かつ所定の複数の位置に位置決めされることによって、上記端子部及び上記素子部の一方のみを上記外部方向に露出させる遮蔽部と、を具備することを特徴とする。
【発明を実施するための最良の形態】
【０００８】
以下、本発明の実施形態について図面を参照して説明する。以下に述べる実施形態は、一般にデジタルスチルカメラ、電子カメラ等と称されるデジタルカメラに本発明を適用したものである。
【０００９】
本実施形態のデジタルカメラは、レンズによって形成される被写体像を受光して、これを光電変換し電子的な画像データとして記録することができ、かつ外部装置（例えばパーソナルコンピュータ、外部記憶装置、印刷装置又は他のデジタルカメラ等）との間で有線通信又は無線通信を行うための通信機能を具備する電子装置である。
【００１０】
（第１の実施形態）
本実施形態のデジタルカメラ１について、図１から図４を参照して説明する。図１は、デジタルカメラの斜視図である。図２は、本発明の第１の実施形態のデジタルカメラの主な構成を示すブロック構成図である。
【００１１】
図１に示すように、本実施形態のデジタルカメラ１の前面部には、光学的な被写体像を図示しない撮像素子の受光面上に結像させるレンズユニット２と、被写体を照明するＬＥＤや閃光発光装置等からなる照明装置４が配設されている。ここで、前面とは、撮影時に撮影対象である被写体に臨む面のことを指す。
【００１２】
また、デジタルカメラ１の上面部には操作者が撮影動作を指示するためのレリーズスイッチ３と、デジタルカメラ１の起動動作及び終了動作を指示するための電源スイッチ５が配設されている。
【００１３】
また、図示しないが、デジタルカメラ１の側面部や底面部には、電源である二次電池（以下、バッテリーと称する）を収容する電池室、撮影した画像を記録する不揮発性の記録媒体であるメモリカードを収容するメモリ収容室等が配設されている。
【００１４】
そして、本実施形態のデジタルカメラ１は、詳しくは後述するが、外部装置であるパーソナルコンピュータ、外部記憶装置、メディアプレーヤやプリンタ等との情報の通信を行うための通信機能部１１０を具備している。
【００１５】
デジタルカメラ１の通信機能部１１０は、外部装置との情報の通信を信号線や光ファイバ等からなる接続ケーブルを介して行う有線通信機能部と、外部装置との情報の通信を電波、赤外線や可視光等を利用して行う無線通信機能部とを具備して構成されるものである。
【００１６】
そして、デジタルカメラ１の側面部には、有線通信に使用する接続ケーブルが接続される端子部であるコネクタ部１１４と、無線通信に使用する電磁波を放射又は検出する素子部であるアンテナ部１１２とを有する通信用インターフェース部１００が配設されている。
【００１７】
本実施形態では、コネクタ部１１４には、ＵＳＢ（（Ｕｎｉｖｅｒｓａｌ  Ｓｅｒｉａｌ  Ｂｕｓ））規格に準拠したものが適用されている。なお、コネクタ部１１４は、他の形式、例えばＩＥＥＥ１３９４やＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）等の規格に準拠したものであってもよいし、その他光ファイバや同軸ケーブル等の接続ケーブルが着脱自在な形態のものであってもよい。また、コネクタ部１１４は、いわゆるクレードルを介した有線通信を行うための接点が設けられた形態であってもよい。
【００１８】
また、アンテナ部１１２は、ＷＵＳＢ（Ｗｉｒｅｓｓ  Ｕｎｉｖｉｒｓａｌ  Ｓｅｒｉａｌ  Ｂｕｓ）規格の無線通信に使用するためのアンテナである。なお、アンテナ部１１２は、他の無線通信形式、例えばＩＥＥＥ  ８０２．１１等により規格された無線ＬＡＮやＢｌｕｅｔｏｏｔｈ（商標）等の規格に準拠したものであってもよい。また、外部装置との無線通信を赤外線や可視光等により行う形態であれば、アンテナ部１１２には、発光素子及び受光素子が適用されることは言うまでもない
図２に示すように、本実施形態のデジタルカメラ１は、システムコントローラ１０と、撮像部２１と、メモリカード２２と、バッテリ２３と、通信機能部１１０とを具備して構成されている。
【００１９】
撮像部２１は、レンズユニット２と、レンズユニット２によって受光面上に結像された光学的な被写体像を光電変換により電気的な画像信号に変換し出力する撮像素子と、該撮像素子から出力された画像信号を所定の画像データに変換し出力する撮像回路とを具備して構成される。撮像素子には、例えばＣＣＤ（電荷結合素子）やＣＭＯＳ（相補型金属酸化膜半導体）あるいはその他の各種のタイプの撮像素子が適用され得る。
【００２０】
システムコントローラ１０は、ＣＰＵ１１、画像処理回路１２、電力制御回路１３及び通信制御回路１４の複数のブロック回路により構成されており、デジタルカメラ１の動作を制御する装置である。システムコントローラ１０内の各回路はそれぞれ電気的に接続されている。
【００２１】
ＣＰＵ１１は、演算装置、記憶装置、入出力装置等を備え、システムコントローラ１０内の各回路を制御する。電力制御回路１３は、デジタルカメラ１内に配設されたバッテリ２３から供給される電力を、ＣＰＵ１１からの指令に基づき、デジタルカメラ１の各部位へ供給する。
【００２２】
画像処理回路１２は、撮像部２１から出力された画像データに対して、γ補正、色変換、画素変換、圧縮処理等の所定の処理を施し、画像ファイルとしてフラッシュメモリ２２へ出力する。
【００２３】
メモリカード２２は、半導体の不揮発メモリや、小型のハードディスクドライブ等を具備し、デジタルカメラ１に着脱自在に構成された記録媒体である。メモリカード２２は、画像処理回路１２から出力された画像ファイルを記録する。
【００２４】
通信制御回路１４は、通信機能部１１０による外部装置との画像ファイルや命令等の情報の送受信を制御する。例えば、通信制御回路１４は、外部装置から送信された情報を通信機能部１１０を介して受信し、該情報をＣＰＵ１１へ伝送したり、メモリカード２２へ記録する。また、通信制御回路１４は、メモリカード２２に記録されている画像ファイルを、通信機能部１１０を介して外部装置へ送信する。
【００２５】
上述したように、本実施形態の通信機能部１１０は、有線通信機能部と無線通信機能部を具備して構成されるものである。有線通信機能部は、有線通信回路１１３とコネクタ部１１４とを具備して構成されている。有線通信回路１１３は、コネクタ部１１４に接続される接続ケーブルを介して、外部装置との情報の送受信を行う。
【００２６】
無線通信機能部は、無線通信回路１１１とアンテナ部１１２とを具備して構成される。無線通信回路は、アンテナ部１１２を介して送受される電波を利用して外部装置との情報の送受信を行うものである。また、無線通信回路１１１は、外部装置との接続の認証処理や、送信及び受信する情報の暗号化及び復号化も行う。
【００２７】
アンテナ部１１２の、デジタルカメラ１の筐体の外部方向に面する部位以外は、導体である金属板１１５により覆われている。すなわち、アンテナ部１１２はデジタルカメラ１の筐体の外部方向にのみ、本実施形態では側面部からのみ、電波の送受信が可能である。
【００２８】
そして、本実施形態のデジタルカメラ１のコネクタ部１１４及びアンテナ部１１２を有する通信用インターフェース部１００には、該コネクタ部１１４及びアンテナ部１１２のいずれか一方のみを外部方向へ露出させる遮蔽部であるスライドカバー１０１が配設されている。
【００２９】
通信用インターフェース部１００には、コネクタ部１１４及びアンテナ部１１２を覆うようにスライドカバー１０１が配設されている。スライドカバー１０１は、コネクタ部１１４及びアンテナ部１１２の配列方向と平行な方向に、コネクタ部１１４及びアンテナ部１１２の中心間距離だけ移動可能に設けられた部材である。スライドカバー１０１は、使用者の操作により、可動範囲の両端の２位置のいずれかに図示しないばね機構によって選択的に位置決めされる。
【００３０】
そして、このスライドカバー１０１は、スライドカバー１０１が可動範囲の両端のいずれかに位置決めされた状態において、コネクタ部１１４及びアンテナ部１１２のいずれか一方のみをデジタルカメラ１の外部方向へ露出させる貫通孔である開口部１０２が設けられている。
【００３１】
すなわち、スライドカバー１０１を可動範囲の一端に位置決めした場合には、コネクタ部１１４が開口部１０２を介して外部方向に露出し、アンテナ部１１２がスライドカバー１０１の開口部１０２以外の遮蔽領域１０３に覆われる。また、スライドカバー１０１を可動範囲の他端に位置決めした場合には、アンテナ部１１２が開口部１０２を介して外部方向に露出し、コネクタ部１１２がスライドカバー１０１の開口部１０２以外の遮蔽領域１０３に覆われる。
【００３２】
そして、スライドカバー１０１の少なくともアンテナ部１１２を覆う領域は、アンテナ部１１２により送受される波長の電波を遮蔽又は減衰する部材、例えば金属を具備して構成されている。本実施形態においては、スライドカバー１０１は、全体が導体であるステンレスにより構成されている。
【００３３】
この通信用インターフェース部１００のスライドカバー１０１の動作について、図３及び図４を参照してより詳細に説明する。図３は、スライドカバー１０１をコネクタ部１１４側へ移動させた場合の平面図である。図４は、スライドカバー１０１をアンテナ部１１２側へ移動させた場合の平面図である。
【００３４】
本実施形態のデジタルカメラ１では、コネクタ部１１４及びアンテナ部１１２は、側面部に上下方向に配列されている。そして、スライドカバー１０１は、コネクタ部１１４及びアンテナ部１１２の配列方向と平行な方向を長手方向とした長方形状を有する板状の部材である。
【００３５】
スライドカバー１０１は、図３及び図４に示すように、長手方向すなわち上下方向に、
コネクタ部１１４及びアンテナ部１１２の中心間距離Ｄだけ移動可能であり、この可動範囲の上端又は下端のいずれか一方にのみ位置決めされる。
【００３６】
図３に示すように、スライドカバー１０１が可動範囲の下端側（図３において紙面に正対して下方向）、本実施形態ではコネクタ部１１４側に位置決めされている状態において、コネクタ部１１４に重なる領域に開口部１０２が形成されている。そして、このスライドカバー１０１が可動範囲の下端側に位置決めされている状態において、アンテナ部１１２は、スライドカバー１０１の開口部ではない領域である遮蔽部１０３により覆われる。
【００３７】
一方、図４に示すように、スライドカバー１０１が可動範囲の上端側（図４において紙面に正対して上方向）、本実施形態ではアンテナ部１１２側に位置決めされている状態においては、開口部１０２はアンテナ部１１２上に位置する。そして、このスライドカバー１０１が可動範囲の上端側に位置決めされている状態において、コネクタ部１１４は、スライドカバー１０１の開口部ではない領域である遮蔽部１０３により覆われる。
【００３８】
上述した構成を有する本実施形態のデジタルカメラ１では、スライドカバー１０１を下端側に移動させた場合には、コネクタ部１１４が外部方向に露出するため、該コネクタ部１１４を介した接続ケーブルによる外部装置との有線通信が可能となる。またこのとき、アンテナ部１１２が電波を遮蔽するスライドカバー１０１の遮蔽部１０３により覆われるため、デジタルカメラ１のアンテナ部１１２を介した外部装置との無線通信は不可能となる。
【００３９】
一方、スライドカバー１０１を上端側に移動させた場合には、アンテナ部１１２が外部方向に露出するため、該アンテナ部１１２を介した外部装置との無線通信が可能となる。そしてこのとき、コネクタ部１１４はスライドカバー１０１の遮蔽部１０３により覆われるため、コネクタ部１１４に接続ケーブルを接続することができず、外部装置との有線通信は不可能となる。
【００４０】
すなわち、本実施形態の電子装置であるデジタルカメラは、有線及び無線による通信機能を有するものであって、移動可能な上記スライドカバー１０１を設けたことによって、有線及び無線による通信機能のいずれか一方を排他的に使用可能としたものである。
【００４１】
したがって、本実施形態のデジタルカメラ１は、今現在外部装置との情報の送受信が、有線通信によって実行可能な状態なのか、それとも無線通信によって実行可能な状態なのか、を視覚及び触覚で使用者に明示することができる。
【００４２】
言い換えれば、本実施形態のデジタルカメラ１は、使用者が意図的にスライドカバー１０１を操作することによって、有線通信機能部及び無線通信機能部のいずれか一方による外部装置との通信が可能となるのである。
【００４３】
よって、本実施形態によれば、使用者が意図しない通信方式により、外部装置との情報の送受信が行われてしまうことのないデジタルカメラを、簡易な構成で、かつ使用者にとって混乱のない操作方式を具備して実現することができる。
【００４４】
また、例えば、デジタルカメラ１の近辺にデジタルカメラ１と情報の通信が可能な外部装置が複数存在する場合においては、使用者がスライドスイッチ１０１を下端側に移動させて有線通信のみを実行可能な状態として所定の外部装置に接続ケーブルを用いてデジタルカメラ１を接続すれば、使用者が意図しない外部装置との間で無線通信が行われてしまうことを防止することができる。
【００４５】
デジタルカメラ１との間で通信が確立されると自動的に画像ファイルを受信する形態の記憶装置等の外部装置が知られているが、本実施形態によれば、デジタルカメラ１に記録されている画像データが、使用者の意図に反して外部装置に送信されてしまうことを防止することが可能である。
【００４６】
なお、上述した本実施形態は、スライドカバー１０１全体を導体であるステンレスにより構成することにより、アンテナ部１１２が送受信する電波の遮蔽を可能としたものであるが、本発明はこの実施形態に限られるものではない。例えばスライドカバー１０１は樹脂により形成され、アンテナ部１１２上に重なる領域にのみ金属製の板や薄膜、メッシュ等が設けられたものであってもよい。
【００４７】
また、無線通信機能部による情報の送受信の形態が、可視光や赤外光等他の形式によるものであれば、スライドカバー１０１の遮蔽部１０３は、これらの無線通信に使用される波長の電磁波を透過しないもの、または有効に減衰可能なもので構成されることは言うまでもない。
【００４８】
また、本実施形態では、スライドカバー１０１は、デジタルカメラ１の筐体に固定されたコネクタ部１１４及びアンテナ部１１２に対して移動する構成としているが、デジタルカメラ１の筐体に設けられた開口部に対して、コネクタ部及びアンテナ部が相対的に移動し、該開口部を介してコネクタ部及びアンテナ部のいずれか一方が外部方向に露出する構成であってもよい。
【００４９】
（第２の実施形態）
以下、本発明の第２の実施形態について図５から図８を参照して説明する。本実施形態は、第１の実施形態に対して、通信用インターフェース部の構成が異なるものであり、その他の構成は同一である、よって以下ではこの相違点のみを説明するものとする。
【００５０】
図５及び図６に示すように、本実施形態の通信用インターフェース部１００ａは、第１の実施形態に対して、遮蔽部であるスライドカバー１２１の形状と移動の形態が異なり、さらに該スライドカバー１２１の位置を検出するカバー位置検出部１３０を具備するものである。
【００５１】
本実施形態の通信用インターフェース部１００ａには、外部装置との有線通信に使用する接続ケーブルが接続される端子であるコネクタ部１１４と、外部装置との無線通信に使用する電磁波を放射又は検出する素子であるアンテナ部１１２とが、デジタルカメラ１ａの側面部に上下方向に中心間距離Ｄだけ離間して配列されている。
【００５２】
このコネクタ部１１４及びアンテナ部１１２よりもデジタルカメラ１ａの筐体の外部方向側には、スライドカバー１２１が配設されている。スライドカバー１２１は、コネクタ部１１４及びアンテナ部１１２の配列方向と平行な方向を長手方向とした平面視で長方形状を有する板状の部材である。
【００５３】
スライドカバー１２１は、コネクタ部１１４及びアンテナ部１１２の配列方向と平行な方向に、コネクタ部１１４及びアンテナ部１１２の中心間距離Ｄの２倍の距離２Ｄだけ移動可能に設けられている。そしてこのスライドカバー１２１は、使用者の操作により、図６、図７、図８に示すように、可動範囲の中央及び両端の３位置のいずれかに図示しないばね機構によって選択的に位置決めされる。
【００５４】
具体的には、図６は、スライドカバー１２１が可動範囲の下端に位置決めされた状態を示している。また、図７は、スライドカバー１２１が図６の状態から上方向に距離Ｄだけ移動され可動範囲の中央に位置決めされた状態を示している。図８は、スライドカバー１２１が図６の状態から上方向に距離２Ｄだけ移動され可動範囲の上端に位置決めされた状態を示している。
【００５５】
そして、このスライドカバー１２１には、可動範囲の中央及び両端の３位置のうちの２位置に位置決めされた状態において、コネクタ部１１４及びアンテナ部１１２のいずれか一方のみをデジタルカメラ１の外部方向へ露出させる貫通孔である開口部１０２が設けられている。
【００５６】
本実施形態では、図６に示すように、スライドカバー１２１が下端側に位置決めされた状態においては、コネクタ部１１４及びアンテナ部１１２は、スライドカバー１２１の遮蔽部１０３により覆われる。
【００５７】
そして図７に示すように、スライドカバー１２１には、スライドカバー１２１が中央に位置決めされた状態において、コネクタ部１１４に重なる領域に貫通孔である開口部１０２が形成されている。すなわち、スライドカバー１２１が中央に位置決めされた状態においては、コネクタ部１１４が該開口部１０２からデジタルカメラ１の外部方向に露出し、アンテナ部１１２は遮蔽部によって覆われる。
【００５８】
そして、図８に示すように、スライドカバー１２１が上端側に位置決めされた状態においては、アンテナ部１１２が開口部１０２を介してデジタルカメラ１の外部方向に露出し、コネクタ部１１４は遮蔽部によって覆われる。
【００５９】
また、本実施形態においては、コネクタ部１１４及びアンテナ部１１２の近傍に、それぞれマイクロスイッチ１３２及び１３１が配設されている。このマイクロスイッチ１３２及び１３１は、それぞれの上にスライドカバー１２１の開口部１０２が存在する場合と、遮蔽部１０３が存在する場合とで異なる値を出力する１ビットのスイッチである。
【００６０】
すなわち、このマイクロスイッチ１３２及び１３１からの２ビットの出力値に基づいて、スライドスイッチ１２１が３位置のいずれに位置決めされているかを検出することが可能である。本実施形態においては、このマイクロスイッチ１３２及び１３１が図５に示すカバー位置検出部１３０を構成するものである。
【００６１】
そして、本実施形態のデジタルカメラ１ａにおいては、このカバー位置検出部１３０により検出されたスライドカバー１２１の位置情報は、システムコントローラ１０に入力される。
【００６２】
システムコントローラ１０のＣＰＵ１１は、このカバー位置検出部１３０から入力されるスライドカバー１２１の位置情報に基づき、通信機能部１１０の有線通信回路１１３及び無線通信回路１１１が使用可能であるか否かを判断し、電力制御回路１３を介して通信制御回路１４及び通信機能部１１０への電力の供給の制御を行う。
【００６３】
本実施形態では、スライドカバー１２１が可動範囲の下端側に位置決めされている場合、すなわち、コネクタ部１１４及びアンテナ部１１２の双方がスライドカバー１２１の遮蔽部１０３により覆われている場合には、ＣＰＵ１１は、通信制御回路１４及び通信機能部１１０への電力の供給を停止する。
【００６４】
また、スライドカバー１２１が可動範囲の中央に位置決めされている場合、すなわち、コネクタ部１１４が外部方向に露出している場合には、ＣＰＵ１１は、通信制御回路１４及び有線通信回路１１３に電力を供給する。すなわちこの状態では、電力は無線通信回路１１１には供給されない。
【００６５】
また、スライドカバー１２１が可動範囲の上端に位置決めされている場合、すなわち、アンテナ部１１２が外部方向に露出している場合には、ＣＰＵ１１は、通信制御回路１４及び無線通信回路１１１に電力を供給する。すなわちこの状態では、電力は有線通信回路１１３には供給されない。
【００６６】
したがって、上述した構成を有する本実施形態のデジタルカメラ１ａでは、スライドカバー１２１を下端側に移動させた場合には、通信制御回路１４及び通信機能部１１０の駆動が停止されるため、外部装置との情報の通信が不可能となる。
【００６７】
また、スライドカバー１２１を中央に移動させた場合には、通信制御回路１４及び有線通信回路１１３が駆動され、かつコネクタ部１１４が外部方向に露出するため、該コネクタ部１１４を介した接続ケーブルによる外部装置との有線通信が可能となる。このとき、無線通信回路１１１の駆動が停止されているため、デジタルカメラ１ａのアンテナ部１１２を介した外部装置との無線通信は不可能となる。ここで、アンテナ部１１２はスライドカバー１２１の遮蔽部１０３により覆われている。
【００６８】
また、スライドカバー１２１を上端に移動させた場合には、通信制御回路１４及び無線通信回路１１１が駆動され、かつアンテナ部１１２が外部方向に露出するため、該アンテナ部１１２を介した外部装置との無線通信が可能となる。このとき、有線通信回路１１３の駆動が停止され、かつコネクタ部１１４はスライドカバー１２１の遮蔽部１０３により覆われているため、外部装置との有線通信は不可能となる。
【００６９】
すなわち、上述した本実施形態の電子装置であるデジタルカメラ１ａは、第１の実施形態と同様に、有線及び無線による通信機能を有するものであって、上記スライドカバー１２１とカバー位置検出部１３０を設けたことによって、有線通信機能が稼動している状態、無線通信機能が稼動している状態、及び通信機能が稼動していない状態、のいずれかを選択可能に構成したものである。
【００７０】
そして、本実施形態のデジタルカメラ１ａは、今現在外部装置との情報の送受信が、有線通信によって実行可能な状態なのか、それとも無線通信によって実行可能な状態なのか、それとも不可能なのか、を視覚及び触覚で使用者に明示することができる。
【００７１】
よって、本実施形態によれば、使用者が意図しない通信方式により、外部装置との情報の送受信が行われてしまうことのないデジタルカメラを、簡易な構成で、かつ使用者にとって混乱のない操作方式を具備して実現することができる。
【００７２】
また、本実施形態によれば、通信機能部１１０のうちの、スライドカバー１２１の位置によって使用可能に選択された通信機能以外の通信に関わる回路の駆動は停止される。さらにスライドカバー１２１が下端側に移動され、有線及び無線のどちらの通信方式も使用不可能な状態とされた場合には、外部装置との通信に用いる回路全ての駆動が停止される。
【００７３】
よって、本実施形態によれば、第１の実施形態に比してより消費電力を抑制したデジタルカメラを提供することが可能である。
【００７４】
また、本実施形態では、無線通信が選択されていない場合には、無線通信回路１１１の駆動が停止されるため、アンテナ部１１２から電波が送信されることがない。したがって、第１の実施形態のようにスライドカバーを電波の遮蔽が可能な材料で構成し、アンテナ部１１２を金属板１１５で覆う必要がなく、より簡易な構成で、小型かつ軽量なデジタルカメラを実現できる。
【００７５】
また、スライドカバー１２１が下端側に位置決めされた状態においては、上述のように通信機能による電力の消費を抑制できるとともに、さらに、コネクタ部１１４及びアンテナ部１１２を、外力や埃、水分等から保護することができる。
【００７６】
なお、上述した実施形態においては、遮蔽部であるスライドカバー１２１は、直線的に移動することによりコネクタ部１１４及びアンテナ部１１２のいずれかを選択的に外部方向に露出させるものであるが、この遮蔽部の構成は本実施形態に限られるものではない。
【００７７】
例えば、図９に示すように、遮蔽部１２１ａは、平面視で略円形を有しその中心を回動軸として、約１２０度毎に位置決め可能に回動する構成であってもよい。この場合、遮蔽部１２１ａの開口部１０２は、回動軸から距離Ｒだけオフセットした位置に形成される。そして、コネクタ部１１４及びアンテナ部１１２は、開口部１０２が位置決めされる３位置のうちの２位置にそれぞれ配設される。
【００７８】
このような図９に示す構成であっても、上述した本実施形態と同様の効果を有することは明らかである。
【００７９】
また、上述した実施形態においては、遮蔽部材であるスライドカバー１２１の位置をマイクロスイッチ１３１及び１３２により検出する構成としているが、スライドカバー１２１の位置を検出する方法は、スライド式スイッチの切り換わりや、電気抵抗の変化、他の方式等によって検出する構成であってもよい。
【００８０】
また、上述した実施形態においては、マイクロスイッチ１３１及び１３２をシステムコントローラ１０に電気的に接続し、マイクロスイッチ１３１及び１３２のからの出力に基づいて通信機能部１１０への電力の供給の制御を行っているが、本発明はこの形態に限られるものではない。
【００８１】
例えば、マイクロスイッチ１３１及び１３２は、それぞれ無線通信回路１１１及び有線通信回路１１３への電力の供給を直接的にオンオフする構成であってもよい。このような構成であっても、上述した実施形態と同様の効果が得られるものであり、さらに簡易な構造で実現可能であるという効果も有する。
【００８２】
また例えば、マイクロスイッチはアンテナ部１１２の近傍にのみ配設し、開口部１０２がアンテナ部１１２の上方に位置するときのみ無線通信回路１１１へ電力を供給する構成であっても、上述した実施形態と同様に、消費電力を抑制することが可能である。これは、有線通信回路１１３への電力の供給は、コネクタ部１１４に接続ケーブルが接続されたか否かに基づいて行うことが可能だからである。
【００８３】
また、本実施形態においては、スライドカバー１２１は、通信機能の使用の有無と、通信方法の選択のみを行うための可動部材であるが、例えばスライドカバー１２１を位置決め可能な位置をさらに増やし、該スライドカバー１２１に電源スイッチ５の機能や、撮影モードや再生モード等の動作モードの切り替えの機能を併せ持たせることも可能である。
【００８４】
このような構成とすれば、使用者は、スライドカバー１２１の位置のみを視覚または触覚により確認するだけで、デジタルカメラの動作の状態を容易に認識することができる。また、このような構成によれば、スイッチ類を減らすことができ、デジタルカメラの操作性を向上させることができると共に、デジタルカメラをより簡易かつ小型な構成とすることができる。
【００８５】
上述した実施形態に基づいて、以下の構成を提案することができる。すなわち、  
（付記１）  
有線通信及び無線通信により外部装置と通信可能な電子装置であって、  
上記有線通信のためのケーブルを接続するターミナルと、  
上記無線通信のための放射又は検出する素子と、  
上記ターミナル及び上記素子を覆うように配置された可動部材とを有し、  
上記可動部材は、操作に応じて上記ターミナル及び上記素子の一方のみを露出可能に構成されていることを特徴とする電子装置。
【００８６】
（付記２）  
上記可動部材は、操作に応じて上記ターミナル及び上記素子を同時に覆うことが可能に構成されていることを特徴とする付記１に記載の電子装置。
【００８７】
（付記３）  
上記可動部材は、上記素子から放射される信号を遮断することを特徴とする付記１又は２に記載の電子装置。
【００８８】
（付記４）  
上記有線通信機能をＯＮ／ＯＦＦする第１のスイッチと、  
上記無線通信機能をＯＮ／ＯＦＦする第２のスイッチとをさらに有し、  
上記可動部材の移動に応じて、上記ターミナルが露出している場合は、上記第１のスイッチがＯＮで上記第２のスイッチがＯＦＦに設定され、上記素子が露出している場合は、上記第１のスイッチがＯＦＦで上記第２のスイッチがＯＮに設定されることを特徴とする付記１から３に記載の電子装置。
【００８９】
（付記５）  
上記素子は、電波を放射、検出するアンテナであることを特徴とする付記１から４に記載の電子装置。
【００９０】
なお、本発明は、上述した実施形態に限られるものではなく、特許請求の範囲及び明細書全体から読み取れる発明の要旨或いは思想に反しない範囲で適宜変更可能であり、そのような変更を伴う電子装置もまた本発明の技術的範囲に含まれるものである。
【００９１】
本発明に係る電子装置は、上述の実施形態で説明したデジタルカメラに限らず、録音機器、携帯電話、ＰＤＡ、パーソナルコンピュータ、ゲーム機、デジタルビデオカメラ、デジタルメディアプレーヤー、テレビ、ＧＰＳ、時計等であってもよい。
【図面の簡単な説明】
【００９２】
【図１】デジタルカメラの斜視図である。
【図２】デジタルカメラの主な構成を示すブロック図である。
【図３】通信用インターフェース部の構成を示す図である。
【図４】スライドカバーを上端側に移動させた場合を示す図である。
【図５】第２の実施形態のデジタルカメラの主な構成を示すブロック図である。
【図６】第２の実施形態の通信用インターフェース部の構成を示す図である。
【図７】スライドカバーを中央に移動させた場合を示す図である。
【図８】スライドカバーを上端側に移動させた場合を示す図である。
【図９】第２の実施形態の変形例を示す図である。
【符号の説明】
【００９３】
１００  通信用インターフェース部、  １０１  スライドカバー、  １０２  開口部、  １０３  遮蔽部、  １１２  アンテナ部、  １１４  コネクタ部
【図１】
2009060534.tif 000003
【図２】
2009060534.tif 000004
【図３】
2009060534.tif 000005
【図４】
2009060534.tif 000006
【図５】
2009060534.tif 000007
【図６】
2009060534.tif 000008
【図７】
2009060534.tif 000009
【図８】
2009060534.tif 000010
【図９】
2009060534.tif 000011